(57)【要約】      （修正有）【課題】フレネルレンズで取得される光線を改善する。【解決手段】可変ドラフト角を有するフレネルレンズ１であり、メインファセットと呼ばれる第１ファセット２１、及び、ドラフトファセットと呼ばれる第２ファセット２２を有するフレネルプリズムeiであって、ドラフトファセットは、光軸に対してドラフト角δを形成し、ドラフト角δは、少なくとも１つのフレネルプリズムに沿って可変であり、レンズの一方のサイドよりも他方のサイドにおいて、ドラフト角が高くなる、フレネルプリズムeiを有する。【選択図】図６
2019091010.tif 000002
【特許請求の範囲】
【請求項１】
光軸Ｘを有し、
複数のフレネルプリズムであって、各フレネルプリズムが、メインファセット（２１）と呼ばれる第１ファセットと、ドラフトファセット（２２）と呼ばれる第２ファセットと、を有し、前記ドラフトファセットは、光軸に対するドラフト角（δ）を形成する、フレネルプリズムを備え、
可変ドラフト角フレネルプリズム（ei）と呼ばれる少なくとも１つのフレネルプリズムに対して、この可変ドラフト角フレネルプリズムに沿ってドラフト角（δ）が可変であり、前記レンズの第１面（１１）上では、前記第１面と実質的に反対側の前記レンズの第２面（１２）上よりも、このドラフト角が高い、
フレネルレンズ。
【請求項２】
ほとんどの前記フレネルプリズムは、可変ドラフト角フレネルプリズム（ei）である、請求項１に記載のレンズ。
【請求項３】
前記レンズ（１）は、車両の中で、前記第１面（１１）が下部、前記第２面（１２）が上部となるように、向けられる、請求項１又は請求項２に記載のレンズ。
【請求項４】
前記ドラフト角（δ）は、複数又は少なくとも１つの前記ドラフト角フレネルプリズム（ei）に沿って、前記第２面（１２）から前記第１面（１１）へと徐々に増加する、請求項１から請求項３のいずれかに記載のレンズ。
【請求項５】
１以上の前記ドラフト角フレネルプリズム（ei）の前記ドラフトファセット（２２）の表面は、連続的に導き出せる、請求項１から請求項４のいずれかに記載のレンズ。
【請求項６】
前記光軸（Ｘ）に垂直な所与の軸（Ｚ，Ｙ）に対して、前記光軸から前記レンズの周辺エッジに延びる方向に、この軸に沿って１つのフレネルプリズムから次のフレネルプリズムまで、前記ドラフト角（δ）が増加する、請求項１から請求項５のいずれかに記載のレンズ。
【請求項７】
前記レンズ（１）の前記第２面（１２）の様々な前記フレネルプリズム（ei）の全ての前記ドラフト角（δ）の最小値の前記ドラフト角と、前記レンズの前記第１面（１１）の様々な前記フレネルプリズム（ei）の全ての前記ドラフト角の最大値の前記ドラフト角が考慮される場合、この最小値及びこの最大値の間の角度差は、実質的に、前記レンズを照射することを意図した前記光束の厚さに等しい、請求項１から請求項６のいずれかに記載のレンズ。
【請求項８】
複数又は少なくとも１つの前記可変ドラフト角フレネルプリズム（ei）に沿って、かつ、前記第２面（１２）から前記第１面（１１）へと、対応する前記フレネルプリズムは、前記第１面から前記第２面へと延びる方向に対して横方向に位置する少なくとも１つの拡散セグメント（１３’、１４’）を備え、この拡散セグメントにおいて、
前記ドラフト角（δ）は、さらに変化し、及び／又は、
前記ドラフト角（δ）は、減少してから再び増加する、
請求項１から請求項７のいずれかに記載のレンズ。
【請求項９】
前記拡散セグメント（１３’，１４’）の始点と終点の間の角であって、頂点が実質的に前記光軸（Ｘ）上にある角（β’）は、１５°から４５°の間に含まれる値を有し、この角は、前記第１面（１１）及び前記第２面（１２）の間の中間に位置する点のいずれかに延びる、請求項８に記載のレンズ。
【請求項１０】
少なくとも１つの前記ドラフト角フレネルプリズム（ei）の前記メインファセット（２１）は、回折光学素子を備える、請求項１から請求項９のいずれかに記載のレンズ。
【請求項１１】
各前記フレネルプリズムは、リッジ（２３）を有し、ほとんどの前記フレネルプリズムの前記リッジは、同一平面上にある、請求項１から請求項１０のいずれかに記載のレンズ。
【請求項１２】
各前記フレネルプリズムは、リッジ（２３）を有し、ほとんどの前記フレネルプリズムの前記リッジは、同心円である、請求項１から請求項１１のいずれかに記載のレンズ。
【請求項１３】
請求項１から請求項１２のいずれかに記載のレンズ（１）と、
光源（２）を位置決めするエレメントであって、前記レンズに対して所与の位置に前記光源を保持するように意図されるエレメントと、
を備え、
少なくとも前記レンズの前記フレネルプリズムの前記第１ファセット（２１）によって、光源が所与の位置（ｆ）に位置する場合に、光束の光領域（Ｚ１）を暗領域（Ｚ２）から分離するカットオフライン（Ｃ）を有する光束を形成するように配置される、照明モジュール（５）。
【請求項１４】
前記レンズ（１）は、前記第１面（１１）が、前記光軸（Ｘ）に対して、光領域（Ｚ１）である同じサイドに位置するように配置される、請求項１３に記載の照明モジュール。
【請求項１５】
請求項１３又は請求項１４に記載の照明モジュール（５）を備える照明装置。
【発明の詳細な説明】
【技術分野】
【０００１】
本発明は、フレネルレンズ及びそのようなレンズを備える照明装置の分野に関する。
【背景技術】
【０００２】
フレネルレンズは、凸レンズより非常に薄いが、生成する光線の偏向に関しては、同じ特性を有する。フレネルレンズは、連続したフレネルプリズムを含み、この連続は、レンズの中心からその一端に延びる方向に配置される。
【０００３】
仏国特許出願公開２７９９１５３号明細書は、フレネルレンズを開示している。各フレネルレンズは、レンズの外側に向かっている第１ファセットとレンズの中心へと向かうドラフトファセットと呼ばれる第２ファセットとを有する。複数の第１ファセットの全体として形成される屈折面は、収束レンズの射出面の屈折面と等価である面を形成する。フレネルレンズでは、ドラフトファセットは、レンズの光軸に並行な方向にレンズの背面に向かって第１ファセットをシフトさせることにより、レンズの厚さを減少させることができる。
【０００４】
第１ファセットは、本質的に光学的な有用性を有するとしても、ある種の光線は、ドラフトファセットに衝突し、そして、不適切に偏向する可能性がある。
【０００５】
このリスクを低減させるため、仏国特許出願公開第２７９９１５３号明細書は、入射面による最初の屈折の後に、レンズの焦点から発せられた光線が、レンズ内でこれらのファセット面に並行に伝搬するように、ドラフトファセットを配置することを提案している。
【０００６】
しかしながら、それらの数を削減するものの、このようなレンズで取得された光線の測光を劣化させやすい寄生光線が依然として発生することとなる。
【発明の概要】
【発明が解決しようとする課題】
【０００７】
したがって、本発明が解決しようとする技術的課題は、フレネルレンズで取得される光線を改善することである。
【課題を解決するための手段】
【０００８】
この目的のために、本発明の第１の主題は、複数のフレネルプリズムであって、各フレネルプリズムが、メインファセットと呼ばれる第１ファセットと、ドラフトファセットと呼ばれる第２ファセットと、を有し、ドラフトファセットは、光軸に対するドラフト角を形成する，フレネルプリズムを備えるフレネルレンズである。このレンズにおいて、少なくとも１つのフレネルプリズムに対して、ドラフト角がこのフレネルプリズムに沿って可変であり、レンズの第１面において、第１面と実質的に逆側のレンズの第２面においてよりもドラフト角が高い。
【０００９】
したがって、第２面では、ドラフトファセットは、寄生光線を、第１面のドラフトファセットから生じる寄生光線を受ける領域に向かって曲げる。したがって、フレネルレンズは、寄生光線を、レンズの第１面から生じる寄生光線と、レンズの第２面から生じる寄生光線と、の両方を受ける領域に向け、この領域は、寄生光線の受信領域を形成する。
【００１０】
本発明によるレンズは、この受信領域がより大きな照明を必要とする位置にあり、及び／又は、それほど煩わしくないように、車両の照明装置内に配置されてもよい。
【００１１】
レンズの側では、光軸の側に位置し、したがって、光軸とレンズの周縁との間に延びる領域が意味される。
【００１２】
本発明によるレンズは、任意に１又は複数の以下の特徴を備えてもよい。
【００１３】
−  ほとんどのフレネルプリズムは、可変ドラフト角フレネルプリズムであってもよく、したがって、レンズの全周にわたって、ドラフトファセットによって偏向されたより多くの寄生光線が受信領域に向けて導かれ、特に、フレネルプリズムの少なくとも７５％、例えば、少なくとも９０％、さらには、１００％が可変ドラフト角フレネルプリズムである。
【００１４】
−  レンズは、車両の中で第１面が下部にあり、第２面が上部にあるように向けられており、したがって、寄生光線は、対向車の運転手や、追従車の運転手を眩惑させないように下方に導かれる。
【００１５】
−  第２面から第１面に向かって、複数の又は少なくとも１つの可変ドラフト角フレネルプリズムに沿って、ドラフト角が徐々に増加し、したがって、レンズの製造が単純化される。
【００１６】
−  １つ以上の可変ドラフト角フレネルプリズムのドラフトファセットの表面は、連続的に導き出せ、これにより回避すべきステップなどの勾配の急激な変化が可能となり、寄生光線の危険性が減少し、さらに、生産は再び単純化される。
【００１７】
光軸に垂直な所与の軸に対して、光軸からレンズの周辺エッジに延びる方向に、この軸に沿って１つのフレネルプリズムから次のフレネルプリズムまで、ドラフト角が増加し、この方向のレンズの範囲にわたり、より多くの寄生光線が受信領域に集約される。
【００１８】
−  レンズの第２面の様々なフレネルプリズムの全てのドラフト角の最小値のドラフト角と、レンズの第１面の様々なフレネルプリズムの全てのドラフト角の最大値のドラフト角が、考慮される場合、この最小値及びこの最大値の間の角度差は、実質的に、レンズを照射することを意図した光束の厚さに等しい。
【００１９】
−  上記段落で言及された角度差は、１０°と２０°との間に含まれる値を有することができ、これらの値は良好な結果をもたらし、この場合、レンズを照らすように意図された光束は、１０°と２０°との間に含まれる厚さを有する。
【００２０】
−  複数の又は少なくとも１つの可変ドラフト角フレネルプリズムに沿って、かつ、第２面から第１面に沿って、対応するフレネルプリズムは、第１面から第２面に伸びる方向に対して横方向に位置される、少なくとも１つの拡散セグメントを備え、この拡散セグメントは、ドラフト角がさらに変化する、及び／又は、ドラフト角が減少してから再び増加し、したがって、レンズの外側領域から放出された光線を暗領域に広げることが可能である。
【００２１】
−  所与のフレネルプリズムに沿って、光軸に垂直な平面において、拡散セグメントの始点と終点との間の角度であって、頂点が実質的に光軸上にある角度は、１５°から４５°の間に含まれる値を有し、この角は、第１面と第２面の中間に位置するいずれかのサイドに延びる。
【００２２】
１以上の可変ドラフト角フレネルプリズムのドラフトファセットの表面は、線織面であり、したがって、製造が簡単である。
【００２３】
少なくとも１つのドラフト角フレネルプリズムのメインファセットは、レンズの色収差を低減するため、又は、ロービームのカットオフの鮮明度を減衰させるために配置される厚さ変調を備えていてもよい。
【００２４】
各フレネルプリズムは、リッジを有し、ほとんどのサンプルのリッジは、同一平面上にあり、したがって、レンズは、厚さ方向において体積が小さく、大部分のフレネルプリズムによって、レンズが備えるフレネルプリズムの数の少なくとも半分が意味され、特に、少なくとも７５％、例えば、少なくとも９０％、又は少なくとも１００％のこれらのフレネルプリズムのリッジは、同一平面上にある。
【００２５】
各フレネルプリズムはリッジを有し、ほとんどのフレネルプリズムのリッジは、同心円、特に、光軸を中心とする同心円であり、これは、フレネルプリズムが光軸の周りに継続的にさらに製造が簡単であることを可能とし、特に、少なくとも７５％、例えば、少なくとも９０％、又は、１００％でもあるフレネルプリズムのリッジは、同心円である。
【００２６】
フレネルプリズムのファセットは、ともに、レンズの上流に焦点を有する、収束屈折面の等価物を形成する。
【００２７】
本発明のもう１つの主題は、
本発明によるレンズと、
光源を位置決めするエレメントであって、レンズに対して所与の位置を保持するように意図されたエレメントと、
を備え、
レンズのフレネルプリズムの少なくとも第１ファセットにより、光束の暗領域から光領域を分離するカットオフラインを有する光束を、光源が所与の位置に位置する場合に、形成する、ように配置される、照明モジュールである。
【００２８】
レンズは、したがって、カットオフを含む光束、例えば、ロービームを形成するように使用される。
【００２９】
本発明による照明モジュールは、１又は複数の以下の特徴を任意で備えていてもよい。
【００３０】
−  レンズは、光軸に対して第１面が光領域と同じサイドに位置するように配置されてもよく、光線は、ドラフトファセットにより、暗領域ではなく、光領域に誘導され、その光度を増加させる。
【００３１】
−  レンズが拡散セグメントを備える場合において、後者は、これらの拡散セグメントにおいて、ドラフトファセットにより、光線が、暗領域に向けて誘導されるように配置されてもよい。
【００３２】
−  フレネルプリズムの第１ファセットはともに、レンズの上流に焦点を有する収束屈折面と同等物を形成し、照明モジュールは、レンズと光源の位置に対して、カットオフラインを形成するように配置されたシールドを備える。
【００３３】
シールドは、レンズが垂直である場合には水平であり、第１面は、全体的にシールドの上面がある平面より実質的に下に位置するレベルに位置し、したがって、光線は、ドラフトファセットにより暗領域に向かってではなく、光領域に向かって誘導され、その光度を増加させ、シールドの上面は、反射性であってもよい。
【００３４】
本発明のもう１つの主題は、本発明による照明モジュールを備える照明装置、特に、車両のヘッドランプである。
【００３５】
本発明のもう１つの主題は、本発明による照明装置を備える自動車であり、装置は、特に、自動車の電力供給と接続されている。
【００３６】
別に特に指示が無い限り、用語「前方（front）」「後方（behind）」「下方（lower）」「上方（upper）」「側部、面（side）」及び「横断方向（traverse）」は、レンズ及び照明モジュールが照明装置内に有することを意図する方向を示し、及び、照明装置からの光の放出方向に関する。
【００３７】
用語「上流（upstream）」及び「下流（downstream）」は、光の伝搬方向を示す。
【００３８】
本発明の他の特徴及び利点は、以下の非限定的な実施例の詳細な説明を読むことにより明らかになるであろう。その説明は、以下の添付の図面を参照してよりよく理解されるであろう。
【図面の簡単な説明】
【００３９】
【図１】本発明の一実施形態によるレンズの正面図。
【図２】軸Ｙに垂直な平面で切断した図１の断面図。
【図３】軸Ｚに垂直な平面で切断した図１の断面図。
【図４】図１のレンズを備えた本発明による照明モジュールの概略図。
【図５】図４の照明モジュールにより得られる光束の概略図。
【図６】図２のゾーンＶＩの拡大図。
【図７】図２のゾーンＶＩＩの拡大図。
【図８】与えられたフレネルプリズムeiについての位置決め角θの関数としてのドラフト角のいくつかの値の表。
【発明を実施するための形態】
【００４０】
図１は、本発明によるフレネルレンズ１の正面図の一例を示す。
【００４１】
レンズ１は、光軸Ｘを有する。
【００４２】
本発明によれば、ここに示されるように、レンズ１は、車両に配置され、この光軸Ｘが車両の長軸と並行となるように意図されてもよい。
【００４３】
軸Ｚ及び軸Ｙは、ここで、鉛直及び水平方向にそれぞれ対応する。レンズ１は、ここでは、車両内に有することが意図された位置に向けられている。
【００４４】
図２は、鉛直方向の平面で切り取ったレンズ１の断面図であり、そのため、Ｘ軸とＺ軸を含む。図３は、水平方向の平面で切り取ったレンズ１の断面図であり、そのため、Ｘ軸とＹ軸を含む。
【００４５】
レンズ１は、入射面２０と、射出面１０とを有する。入射面２０は、この例において、間接的に光源から発する光線を受光するようになっている。続いて、光線は、レンズ１を射出面１０へと伝搬し、射出面１０から射出され、光束を形成する。
【００４６】
レンズ１は、その表面が、射出面１０のほとんどを形成する複数のフレネルプリズムeiを備える。この例において、フレネルプリズムeiは、光軸Ｘの周りに同心円状に、凸状の中心セグメントの周りに配置される。
【００４７】
フレネルプリズムの数は、「n」である。第１フレネルプリズムは、e1で参照され、その一部がここでは光軸Ｘ上において中心となる凸状の中央セグメントの周りに配置される。
【００４８】
最後のフレネルプリズムは、enで参照され、したがって、中心から最も離れたフレネルプリズムであり、すなわち、レンズ１の周縁部５に最も近い。
【００４９】
フレネルプリズムの数は、可変であってもよい。レンズ１が凸状かつ薄くならなくてはならないほど、この数は高くならなくてはならない。この例において、フレネルプリズムの数は７２であるが、この数は、非限定的である。
【００５０】
レンズ１は、以下において下部１１として参照する、下側に位置する第１サイドと、以下において上部１２として参照する、上側に位置する第２サイドとを、有する。
【００５１】
所与のフレネルプリズムeiの位置を特定するために、その角度座標、すなわち、レンズ１の中心と所与の位置を通過する方向が水平軸Ｙとなす角が、ここで使用される。この角は、以下において位置決め角θと呼ぶ。したがって、位置決め角θは、水平軸Ｙ上において０°、鉛直軸Ｚ上の水平軸Ｙよりも上において９０°、鉛直軸Ｚ上の水平軸Ｙよりも下において−９０°の値を有する。位置決め角θは、したがって、水平軸Ｙの上方では正であり、下方では負である。
【００５２】
レンズ１は、レンズの左側及び右側に位置する、したがって、図１の右及び左に位置する２つの特異セグメント１３、１４を有する。図１において、これらの特異セグメントのθ１及びθ２に位置する破線によって示される、角度限界のみが示されている。
【００５３】
この例において、これらの側方の特異セグメント１３、１４は、レンズ１の全てのフレネルプリズムを覆っているわけではなく、したがって、より明りょうにするために図３にのみ示されている半径方向の限界Ｒ１３、Ｒ１４も有する。
【００５４】
これらの側方の特異セグメント１３、１４及び各フレネルプリズムの対応するセグメントは、いわゆる拡散セグメント１３’、１４’である。したがって、これらのフレネルプリズムの拡散セグメント１３’、１４’も、図１の破線直線の間において、水平軸Ｙの両側に配置される。これらの拡散セグメント１３’、１４’のそれぞれは、位置θ１における拡散セグメント１３’、１４’の開始部と、位置θ３における拡散セグメント１３’の終了部と、の間に角度範囲β’を有する。これらの拡散セグメント１３’、１４’の詳細は、後述する。
【００５５】
本発明によれば、レンズ１は、受け入れることを意図した照明モジュールにおいてレンズ１が正確に位置決めされ、方向付けされることを可能にするポカよけを有してもよいことに留意されたい。
【００５６】
例えば、ポカよけは、レンズの下部に配置された平面１６であり、その表面は、鉛直軸Ｚに垂直である。したがって、後者が水平であるとき、レンズ１は正確に方向付けられる。
【００５７】
図６及び図７は、上部１２及び下部１１の側それぞれの拡大図を示す。
【００５８】
これらの図に見られるように、各フレネルプリズムeiは、メインファセット２１と呼ばれる第１ファセットと、ドラフトファセット２２と呼ばれる第２ファセットと、を有する。ドラフトファセット２２は、これらの図に見られるように、光軸Ｘに平行な方向Ｄｘ、Ｄ’ｘと、ドラフトファセット２２のベースとの角で示される、光軸に対するドラフト角δをなす。
【００５９】
本発明によれば、可変ドラフト角フレネルプリズムeiとして参照される少なくとも１つのフレネルプリズムについて、ドラフト角δは、この可変ドラフト角フレネルプリズムeiに沿って可変であり、ドラフト角δは、レンズの第１サイド、ここでは下部１１、において、第１サイドと逆のレンズの第２サイド、ここでは上部１２において、よりも高い。
【００６０】
この変化は、可変ドラフト角フレネルプリズムである最後のフレネルプリズムenについて、図６及び図７に示されている。
【００６１】
図７において、理論的な方向Ｄｃは、ドラフト角δが一定であれば、この最後のフレネルプリズムenのドラフトファセット２２が図７の断面平面内にある方向（direction）、したがって方位（orientation）に対応する。方向Ｄｅは、図７の断面図におけるこの最後のフレネルプリズムのドラフトファセットenの実際の方向Ｄｅを示す。図７に示されるように、理論的な方向Ｄｃは、実方向Ｄｅよりも光軸Ｘから小さくオフセットされている。レンズ１の下部におけるドラフト角δの実際の値と、その値がレンズ１の上部におけるその値と同一である場合にこの角度が有する値との無視できない角度差Δは、図６に見られる。この例では、この角度差Δは、約１８°である。以下に、光線ｒ１、ｒ２、ｒ５、ｒ６及び仮定の経路ｒ’への効果について説明する。
【００６２】
この例において、全てのフレネルプリズムeiは、可変ドラフト角のフレネルプリズムである。
【００６３】
ドラフト角δは、上面１２から下面１１まで、各フレネルプリズムeiに沿って徐々に変化する。この変化を周方向の変動と呼ぶ。
【００６４】
ここで、第１フレネルプリズムe1から各側面特異セグメント１３、１４の半径方向の限界Ｒ１３、Ｒ１４に隣接するフレネルプリズムまで拡がるセグメント内に位置する各フレネルプリズムeiのそれぞれについて、周方向の変動は、徐々に増加する。
【００６５】
ここで、各側面特異セグメント１３、１４の半径方向の限界に隣接するフレネルプリズムから最後のフレネルプリズムenまで拡がるセグメント内に位置するフレネルプリズムeiのそれぞれについて、周方向の変動は、対応するフレネルプリズムに沿って、上面１２から拡散セグメント１３’、１４’のスタートのθ１まで徐々に増加し、次に、値θ２まで、急激に増加し、次に、拡散セグメント１３’、１４’のエンドのθ３まで徐々に減少し、次に、下面１１までフタタ気徐々に増加する。
【００６６】
ここで、光軸Ｘに垂直な所与の軸、例えば、軸Ｙ又は軸Ｚに対して、光軸Ｘからレンズ１の周辺エッジ１５へと延びる方向において、ドラフト角δは、あるフレネルプリズムeiからこの軸に沿った次のフレネルプリズムに向かって増加することも見られるであろう。この変化を半径方向変化と呼ぶ。
【００６７】
図８の表は、所与のフレネルプリズムに沿って連続的であるドラフト角δにおける、これらの円周方向変化と、ドラフト角δの半径方向変化と、を示す。この表は、第１行に示される所与の数iのフレネルプリズムeiに対する、第１列に示される位置決め角θによる所与の方向におけるドラフト角δを示す。
【００６８】
この例において、フレネルプリズムeiのドラフトファセット２２の表面は、継続的に導出可能であり、線織面である。
【００６９】
フレネルプリズムの側面特異セグメント１３、１４、したがって、それを通過するフレネルプリズムの拡散セグメント１３’、１４’は、ここで、少なくとも約４０°の値θ１の位置決め角度で開始し、約−５°の値θ３の位置決め角で終了する、約４５°の角度範囲β’を有することに留意されたい。ドラフト角δは、１５°の値θ２から減少する。したがって、周方向変化が減少するセグメントは、約２０°の角度範囲βを有する。
【００７０】
各フレネルプリズムeiは、リッジ２３を有する。この例において、フレネルプリズムのリッジ２３は、同一平面上、かつ、同心円状である。
【００７１】
この例において、これらのリッジ２３は、円形であり、光軸Ｘを中心とする。各リッジ２３間のピッチは一定であり、ここでは、０．５ミリメートルである。各フレネルプリズムは、したがって、凹部により分離され、ドラフト角δの変化により、凹部の位置は、曲率半径が一定ではない曲線を形成する。
【００７２】
図１のように、正面から見ると、同心円は、投影に見られるドラフトファセットに対応している。これらの線の間のメインファセット２１が、したがって、本質的に観測される。これらのメインファセット２１は、ともに、フレネルレンズ１のアクティブな屈折面を形成する。
【００７３】
したがって、レンズ１は、焦点ｆの収束レンズを形成する。
【００７４】
このレンズ１は、本発明による、照明モジュール５を形成するために、図４に示すように、楕円形のリフレクタ３に光学的に結合されることが意図されている。
【００７５】
従来、リフレクタ３の第１焦点ｆ１に、発光ダイオードなどの光源２が配置されていた。
【００７６】
ここで、リフレクタ３のレンズ１の光軸Ｘは、同軸である。
【００７７】
シールド４は、水平に、レンズの焦点ｆの後ろに配置されている。シールド４の前方の端は、レンズ１の焦点ｆに配置されている。このシールドは、レンズ１の焦点ｆの下を光線が通過することを防止する。
【００７８】
ここで、シールド４の上面は、水平に延びており、レンズの光軸を含む。
【００７９】
ここで、上面は、反射性であってもよい。
【００８０】
レンズ１の焦点は、リフレクタ３の第２焦点ｆ２上に位置する。したがって、光源２が発行し、リフレクタ３の第１焦点ｆ１を視点とする光線ｒ１、ｒ２は、レンズ１の焦点ｆを通り、後者により偏向され、光軸に平行に射出する。
【００８１】
光源２が数学的に点状ではないので、特定の光線ｒ３、ｒ４は、焦点ｆ１からわずかに離れて放射される。
【００８２】
焦点ｆ１の後ろに放射された光線ｒ３は、下向きに反射され、下方へと曲げるレンズ１の焦点ｆ１の上を通過する。
【００８３】
焦点ｆ１の前方に放射された光線ｒ４は、リフレクタによりリフレクタ３の第２焦点ｆ２の下方及び後方に反射される。それらは、次に、シールド４により、レンズ１の頂部に向かって反射される。したがって、それらはまた、下方へと曲げるレンズ１の焦点ｆ１の情報を通過する。
【００８４】
より詳細には、図４、及び／又は、図６及び図７に見られるように、このフレネルレンズの文脈において、これらの光線ｒ１、ｒ２がリフレクタの第１焦点ｆ１に由来するとき、主面２１を通過する光線は、レンズ１の光軸Ｘに平行な方向に向けられているか、または、これらの光線ｒ３、ｒ４がリフレクタ３の第１焦点ｆ１の前方又は後方にわずかに放射されたとき、下方に向けられる。
【００８５】
したがって、照明モジュールを出る光線の最も高い方向は、レンズ１の焦点ｆを通過する光線ｒ１、ｒ２の方向である。
【００８６】
したがって、光束Ｆの光領域Ｚ１から暗領域Ｚ２を描写する上部のカットオフＣを有する図５に示される光束Ｆが、形成される。
【００８７】
この例では、ロービームの問題であり、そのカットオフラインＣは、対向トラフィック側の水平部分Ｃ１と、車両が走行している側の斜め部分Ｃ２とを有する。したがって、対向車、又は、追従車の運転者は、眩惑されずレンズ１を搭載した車両側の底面が点灯する。
【００８８】
本発明によるドラフト角δの迂回変化は、ここで、光線ｒ５、ｒ６が暗領域Ｚ２及び水平線Ｈに向けられて、他の運転者を眩惑させることを防止することを可能にする。
【００８９】
具体的には、図６に見られるように、レンズ１の上側では、ドラフト角δは、所与のドラフトファセットに対して、対応するフレネルプリズム及びその下のフレネルプリズムの方向に放射された光線が、ドラフトファセットの上又は下を通過するように、配置されているので、このドラフトファセットには当たらない。図６において、光線ｒ５は、このメインファセット２１の上部においてフレネルプリズムen-1のメインファセット２１に当たる限界光線である。ドラフト角δは、この光線ｒ５の上方を通過する光線が、上方に位置するフレネルプリズムenのドラフトファセットの上方を通過し、したがって、後者のメインファセット２１に当たる。光線は、したがって、メインファセット２１により屈折されるより前にドラフトファセットに遭遇することはない。それらは、したがって、全て前方及び下方に屈折され、したがって屈折後にドラフトファセットに遭遇しない。したがって、光線のいずれもがドラフトファセットに遭遇しないので、したがって、レンズ１の上部で生成される寄生光線のリスクが大幅に低減される。
【００９０】
レンズの下部において、メインファセット２１、すなわち、２つのフレネルプリズム、ここでは、enとen-1を分離する溝に近いもの、により屈折された特定の光線ｒ６は、下側に屈折された後にドラフトファセット２２に遭遇する。それらは、入射角のため、ドラフトファセット２２により反射される。しかしながら、これらの光線ｒ６は、一定のドラフト角を有する場合よりも、光線Ｘに向かって曲がりにくい。具体的には、ドラフトファセット２２により上向きに反射される代わりに、これらの光線ｒ６は、光軸Ｘに対するドラフト角δがレンズの上部にある同じフレネルプリズムenに対するドラフト角に比べて大きいので、下向きのままである。ドラフト角δがもし一定であれば、光線ｒ６が反射後にとる仮想経路ｒ’が、図７に示される。この仮想経路は、上方に向けられているので、反射光線は、それに追随すると眩惑を引き起こす可能性がある。
【００９１】
したがって、レンズの下部では、ドラフトファセット２２に当たる光線であっても、光束Ｆの光領域Ｚ１に向けられ、この領域においては、それらは眩惑を引き起こさないであろう。
【００９２】
下部１１は、光軸Ｘに対して、光束Ｆの光領域Ｚ１と同じ側に配置されていることに留意されたい。
【００９３】
拡散セグメント１３’、１４’において、ドラフト角δは、ドラフトファセットに当たる光線がカットオフラインＣから上方に離れるように向け直され、特に、それらが眩惑を引き起こさないように暗領域Ｚ２に偏向させる。さらに、これにより、ガントリー上の標識、特に、オーバーロードガントリーを含む傾向にあるガントリーポイントゾーンＰ１、Ｐ２と呼ばれる道路上の領域において、眩惑をさせることなく、光度を高めることが可能である。
【００９４】
例えば、この偏差は、暗領域Ｚ２の光度値が、ロービームのようなカットオフを含む光束の暗領域Ｚ２に対する調整する最大光度よりも低いが、ガントリーポイントゾーンＰ１、Ｐ２における調整する最小光度よりも高くなるものであればよい。
【００９５】
メインファセット２１は、レンズの色収差を減少させるように配置された厚さ変調（図示しない）を備えていてもよい。これに代え、又は、これに加え、メインファセット２１は、ロービームのカットオフの鮮明度を改善又は減衰させるように配置された厚さ変調（図示しない）を備えていてもよい。
【図１】
2019091010.tif 000003
【図２】
2019091010.tif 000004
【図３】
2019091010.tif 000005
【図４】
2019091010.tif 000006
【図５】
2019091010.tif 000007
【図６】
2019091010.tif 000008
【図７】
2019091010.tif 000009
【図８】
2019091010.tif 000010
【外国語明細書】
2019091010000001.pdf